【手続補正書】
【提出日】平成15年12月5日(2003.12.5)
【手続補正１】
【補正対象書類名】特許請求の範囲
【補正対象項目名】全文
【補正方法】変更
【補正の内容】
【特許請求の範囲】
【請求項１】
電極と工作物間でＡＣアーク溶接を生成するアーク溶接システムであって、第１コントローラに対しての所与のシステム特定同期化信号に関して所定の時間関係で極性反転切換点を伴う切換信号を発生せしめることによって前記電極と工作物間にＡＣ電流を生成せしめる前記第１電源のための第１コントローラを備え、前記第１コントローラは、この第１コントローラに対する第１電源特定パラメータ信号に応答して第１溶接パラメータで作動されるように構成され、切換点で前記ＡＣ電流の極性を反転させることによって前記電極と工作物間にＡＣ電流を生成するスレーブ電源を作動するための少なくとも一つのスレーブコントローラを備え、前記スレーブコントローラは、該スレーブコントローラに対する第２電源特定パラメータに応答して第２溶接パラメータで作動されるように構成され、前記第１コントローラと前記スレーブコントローラに接続され、かつ、前記第１コントローラと前記スレーブコントローラのためのデジタル第１および第２電源特定パラメータ信号と前記所与のシステム特定同期化信号とを含んでいる情報ネットワークと、前記第１コントローラを前記スレーブコントローラに接続して前記第１コントローラからの前記切換信号によって前記第２電源の前記切換点を制御するデジタルインターフェースとからなることを特徴とするアーク溶接システム。
【請求項２】
前記電源が、前記切換信号の後で一致して極性を切り換えることを特徴とする請求項１に記載のアーク溶接システム。
【請求項３】
前記情報ネットワークが、インターネットリンクと前記リンクに連絡されたイーサネット（登録商標）を含むことを特徴とする請求項１または２に記載のアーク溶接システム。
【請求項４】
前記情報ネットワークが、前記第１に示した所与の信号と少なくとも第３電源特定パラメータ信号から時間においてオフセットした第２の所与のシステム特定同期化信号を含むことを特徴とする請求項１〜３の何れかに記載のアーク溶接システム。
【請求項５】
前記デジタルインターフェースが、約１０μｓ未満の時間精度を有していることを特徴とする請求項１〜４の何れかに記載のアーク溶接システム。
【請求項６】
前記精度が、約１〜５μｓであることを特徴とする請求項５に記載のアーク溶接システム。
【請求項７】
「準備完了」信号が各前記電源によって生成された後でのみ前記極性を切り換えるソフトウエア回路を含むことを特徴とする請求項１〜５の何れかに記載のアーク溶接システム。
【請求項８】
前記ＡＣ電源がインバータを含むことを特徴とする請求項１〜７の何れかに記載のアーク溶接システム。
【請求項９】
前記ＡＣ電源が、バックツウバックチョッパを含むことを特徴とする請求項１〜８の何れかに記載のアーク溶接システム。
【請求項１０】
電極と工作物間にＡＣ溶接アークを生成するためのアーク溶接システムであって、特定切換時間に第１電流の極性を反転する第１切換制御信号を発生することによって前記電極と工作物間に第１溶接パラメータで第１ＡＣ電流を生成する第１電源と、前記特定切換時間近傍の切換時間で第２電流の極性を反転する第２切換制御信号により前記電極と工作物間に第２溶接パラメータで第２ＡＣ電流を生成する第２電源と、前記第１信号によって前記第２信号を生成する前記第１および第２電源間のタイミングインターフェースとからなり、前記第２電源の前記切換時間が、前記特定切換時間の約５μｓ以内であることを特徴とするアーク溶接システム。
【請求項１１】
前記第１および第２溶接パラメータが、実質的に１μｓを超える時間精度で情報ネットワークによって前記第１および第２電源に与えられることを特徴とする請求項１０に記載のアーク溶接システム。
【請求項１２】
前記第１および第２溶接パラメータが、前記電源のための出力電流を含むことを特徴とする請求項１１に記載のアーク溶接システム。
【請求項１３】
前記第１電源の前記出力電流が、固定値であることを特徴とする請求項１０〜１２の何れかに記載のアーク溶接システム。
【請求項１４】
前記情報ネットワークが、インターネットリンクと前記リンクに連絡されたイーサネット（登録商標）を含むことを特徴とする請求項１１〜１３の何れかに記載のアーク溶接システム。
【請求項１５】
「準備完了」信号が各前記電源によって生成された後でのみ前記極性を切り換えるソフトウエア回路を含むことを特徴とする請求項１０〜１４の何れかに記載のアーク溶接システム。
【請求項１６】
第１および第２電極が工作物に沿って移動する時、第１溶接電極と工作物間に第１ＡＣ溶接アークを、また、第２溶接電極と前記工作物間に第２ＡＣ溶接アークを生成するアーク溶接システムであって、
前記アーク溶接システムは、第１セルと第２セルと低精度情報ネットワークとからなり、
前記第１セルは、前記第１アークに接続され、第１溶接パラメータを伴う第１同期化信号によって決定された第１同期化時間で作動される少なくとも二つの電源及び当該第１セルの前記電源の極性切換を関連付けるための当該第１セルの電源間の高精度相互接続インターフェースを備え、
前記第２セルは、前記第２アークに接続され、第２溶接パラメータを伴い、前記第１同期化信号とオフセットした第２同期化信号によって決定された第２同期化時間で作動される少なくとも二つの電源、及び、当該第２セルの前記電源の極性切換を関連付けるための当該第２セルの電源間の高精度相互接続インターフェースを備え、
前記低精度情報ネットワークは、前記第1セルおよび第２セルに接続され、前記第１および第２溶接パラメータおよびデジタル化第１および第２同期化信号を含むデジタル信号を含むことを特徴とするアーク溶接システム。
【請求項１７】
前記情報ネットワークが、インターネットリンクと前記リンクに連絡されたイーサネット（登録商標）を含むことを特徴とする請求項１６に記載のアーク溶接システム。
【請求項１８】
前記第１および第２パラメータが、電流、電圧およびワイヤ供給速度から選択されることを特徴とする請求項１６または１７に記載のアークシステム。
【請求項１９】
「準備完了」信号が各前記電源によって生成された後でのみ前記極性を切り換えるソフトウエア回路を含むことを特徴とする請求項１６〜１８の何れかに記載のアーク溶接システム。
【請求項２０】
電極と工作物間にＡＣ溶接アークを生成するアーク溶接システムであって、前記電極と工作物間に特定有効切換時間で第１電流の極性を反転させる第１切換制御信号を発生することによって第１溶接パラメータを伴う第１ＡＣ電流を生成する第１電源と、前記電極と工作物間に有効切換時間で第２電流の極性を反転させる第２切換制御信号によって第２溶接パラメータを伴う第２ＡＣ電流を生成する第２電源と、前記第１信号によって前記第２信号を生成する前記第１と第２電源間のタイミングインターフェースとからなり、前記第２電源の前記有効切換時間が、前記第１電源の前記特定有効切換時間の１０μｓ以内であることを特徴とするアーク溶接システム。
【請求項２１】
前記第１および第２溶接パラメータが、実質的に１μｓを超える時間精度で情報ネットワークによって前記第１および第２電源に与えられることを特徴とする請求項２０に記載のアーク溶接システム。
【請求項２２】
前記第１電源が極性をシフトする準備完了状態にあるときに、前記第１電源が第１「準備完了」信号を生成し、前記第２電源が極性をシフトする準備完了状態にあるときに前記第２電源が第２「準備完了」信号を生成し、前記第１および第２準備完了信号が生成された後でソフトウエア回路が前記両電源を切り換えることを特徴とする請求項２０または２１に記載のアーク溶接システム。
【請求項２３】
電極と工作物間にＡＣ溶接アークを生成するアーク溶接システムであって、前記電極と工作物間に特定時間で第１電流の極性を反転させる第１切換制御信号を発生することによって第１溶接パラメータを伴う第１ＡＣ電流を生成する第１電源と、前記電極と工作物間に所与の時間で第２電流の極性を反転させる第２切換制御信号によって第２溶接パラメータを伴う第２ＡＣ電流を生成する第２電源と、前記第１信号によって前記第２信号を生成する前記第１と第２電源間のタイミングインターフェースと、前記第１および第２信号の後で、前記電源を切り換える回路とからなり、前記回路が検出器を含み、前記電源の電流が所与の大きさ未満のときに、前記電源を切り換えることを特徴とするアーク溶接システム。
【請求項２４】
前記第１および第２溶接パラメータが、実質的に１μｓを超える時間精度で情報ネットワークによって前記第１および第２電源に与えられることを特徴とする請求項２３に記載のアーク溶接システム。
【請求項２５】
前記所与の大きさが、約１００アンペアであることを特徴とする請求項２１または２２に記載のアーク溶接システム。
【請求項２６】
電極と工作物間にＡＣ溶接アークを生成するアーク溶接システムであって、前記電極と工作物間に特定有効切換時間で第１電流の極性を反転させる第１切換制御信号を発生することによって第１溶接パラメータを伴う第１ＡＣ電流を生成する第１電源と、前記電極と工作物間に有効切換時間で第２電流の極性を反転させる第２切換制御信号によって第２溶接パラメータを伴う第２ＡＣ電流を生成する第２電源と、前記第１信号によって前記第２信号を生成する前記第１と第２電源間のタイミングインターフェースとからなり、前記第１および第２信号が１０μｓ以内にあることを特徴とするアーク溶接システム。
【請求項２７】
前記電源の各々の出力電流を検出するセンサーと、前記出力電流が特定レベル以下のときに、前記有効時間および前記特定有効時間をもたらす回路を含むことを特徴とする請求項２６に記載のアーク溶接機。
【請求項２８】
前記ＡＣ電源がインバータを含むことを特徴とする請求項２６または２７に記載のアーク溶接システム。
【請求項２９】
前記ＡＣ電源が、バックツウバックチョッパを含むことを特徴とする請求項２６〜２８の何れかに記載のアーク溶接システム。
【請求項３０】
前記切換有効時間および前記特定有効時間がほぼ同じであることを特徴とする請求項２６〜２９の何れかに記載のアーク溶接機。
【請求項３１】
電極と工作物間にＡＣ溶接アークを生成するアーク溶接システムであって、前記電極と工作物間に特定有効切換時間で第１電流の極性を反転させる第１切換制御信号を発生することによって第１ＡＣ電流波形を生成する第１電源と、前記電極と工作物間に有効切換時間で第２電流の極性を反転させる第２切換制御信号によって第２ＡＣ電流波形を生成する第２電源と、前記第１信号によって前記第２信号を生成する前記第１と第２電源間のタイミングインターフェースとからなることを特徴とするアーク溶接システム。
【請求項３２】
前記第１および第２信号が約１０μｓ内にあることを特徴とする請求項３１に記載のアーク溶接システム。
【請求項３３】
前記電源の各々の前記出力電流を検出するセンサーと、出力電流が特定レベル以下のときに、前記有効時間および前記特定有効時間をもたらす回路を含むことを特徴とする請求項３１または３２に記載のアーク溶接機。
【請求項３４】
前記ＡＣ電源がインバータであることを特徴とする請求項３１〜３４の何れかに記載のアーク溶接システム。
【請求項３５】
前記切換有効時間および前記特定有効時間がほぼ同じであることを特徴とする請求項３１〜３４の何れかに記載のアーク溶接機。
【請求項３６】
前記電流波形の少なくとも一つが、波形整形器によって制御された各パルスの大きさを伴う少なくとも１８ｋＨｚの周波数で発生する多数の電流パルスによって生成されることを特徴とする請求項３１〜３５の何れかに記載のアーク溶接システム。
【請求項３７】
前記第１および第２波形の位相を制御する同期化回路を含むことを特徴とする請求項３１〜３６の何れかに記載のアーク溶接システム。
【請求項３８】
前記波形の各々が、専用の一連のパラメータによって制御されることを特徴とする請求項３１〜３８の何れかに記載のアーク溶接システム。
【請求項３９】
電極と工作物の両端に接続された第１出力リード線を備えた第１ＡＣ出力を生成する第１出力極性変更切り換えネットワークを伴う第１電源と、前記第１リード線と並列に前記電極と工作物の両端に接続され第２出力リード線を備えた第２ＡＣ出力を生成する第２出力極性変更切り換えネットワークを伴う第２電源とからなり、これによって前記電源からの電流が付加されることを特徴とする電気溶接機。
【請求項４０】
前記ＡＣ出力の各々が、波形整形器によって制御される各パルスの大きさを伴う少なくとも１８ｋＨｚの周波数で発生する多数の電流パルスによって生成される波形を有していることを特徴とする請求項３９に記載のアーク溶接機。
【請求項４１】
前記工作物が、オープンルートジョイントであることを特徴とする請求項３９または４０に記載のアーク溶接機。
【請求項４２】
第１電極と工作物間の第１空隙両端に第１波形を、また第２電極と前記工作物間の第２空隙両端に第２波形を生成し、一方前記両電極が前記工作物に対して移動するアーク溶接システムにおいて、前記システムが、前記波形の少なくとも一つを生成するための二つの電源からなり、前記少なくとも一つの波形が、波形整形器と前記第１および第２波形を同期化する回路とによって制御される各パルスの大きさを伴う少なくとも１８ｋＨｚの周波数で発生する多数の電流パルスによって生成されることを特徴とするアーク溶接システム。
【請求項４３】
前記工作物が、オープンルートジョイントであることを特徴とする請求項４２に記載のアーク溶接機。
【請求項４４】
空隙を画定する工作物の二つの空隙端部を短絡して溶接する装置であって、進行溶接線を溶融し、前記溶融線を前記空隙に蒸着することによって、少なくとも部分的に二つの空隙端部を結合させる装置において、
溶接電流を前記溶接線に供給する少なくとも一つの電源を有する主アーク溶接機からなり、前記電源が前記溶融線への前記溶接電流を少なくとも部分的に制御するパルス幅変調器と該パルス幅変調器を少なくとも部分的に制御する波形発生装置を含み、前記電源が電流波形を表わす溶接サイクルを構成する一連の電流パルスを生成し、各電流パルスが前記工作物に関して所与の電気的極性を有しており、前記パルス幅変調器が複数の前記電流パルスの電流パルス幅を制御することを特徴とする装置。
【請求項４５】
前記波形発生装置が、前記パルス幅変調器によって発生された前記信号を少なくとも部分的に制御して、前記電流波形の発生を容易にすることを特徴とする請求項４４に記載の装置。
【請求項４６】
前記パルス幅変調器を少なくとも部分的に制御するように前記波形発生装置によって使用される特定波形が、オペレータによって選択可能であることを特徴とする請求項４４または４５に記載の装置。
【請求項４７】
前記パルス幅変調器が高周波数で動作することを特徴とする請求項４４〜４６の何れかに記載の装置。
【請求項４８】
前記工作物がパイプを含んでいることを特徴とする請求項４４〜４７の何れかに記載の装置。
【請求項４９】
前記二つの空隙端部がパイプのシームを形成することを特徴とする請求項４４〜４８の何れかに記載の装置。
【請求項５０】
前記主アーク溶接機が複数の電源を含んでいることを特徴とする請求項４４〜４９の何れかに記載の装置。
【請求項５１】
第１電源がマスター電源であり、また少なくとも一つの他の電源がスレーブ電源であることを特徴とする請求項５０に記載の装置。
【請求項５２】
前記マスター電源および前記スレーブ電源が同期化回路によって少なくとも部分的に制御されることを特徴とする請求項５１に記載の装置。
【請求項５３】
前記主アーク溶接機がこの主アーク溶接機に隔たった位置から少なくとも部分的に制御されることを特徴とする請求項４４〜５２の何れかに記載の装置。
【請求項５４】
遠隔位置から前記主アーク溶接機を少なくとも部分的に制御する情報ネットワークを含んでいることを特徴とする請求項５３に記載の装置。
【請求項５５】
前記主アーク溶接機と通信可能な第２アーク溶接機を含み、前記第２アーク溶接機が、第２溶接線と前記工作物間に第２溶接電流を供給することを特徴とする請求項４４〜４５の何れかに記載の装置。
【請求項５６】
前記第２アーク溶接機が前記第２溶接線に前記第２溶接電流を供給する少なくとも一つの電源を含み、前記電源が前記第２溶接線への前記第２溶接電流を少なくとも部分的に制御するパルス幅変調器と該パルス幅変調器を少なくとも部分的に制御する波形発生装置を含み、前記電源が特定電流波形を表わす溶接サイクルを構成する一連の電流パルスを生成し、各電流パルスが前記工作物に関連して所与の電気的極性を有しており、前記パルス幅変調器が複数の前記電流パルスの電流パルス幅を制御することを特徴とする請求項５５に記載の装置。
【請求項５７】
前記主アーク溶接機と通信可能な第３アーク溶接機を含み、前記第３アーク溶接機が、第３溶接線と前記工作物間に第３溶接電流を供給することを特徴とする請求項４４〜５６の何れかに記載の装置。
【請求項５８】
前記第３アーク溶接機が前記第３溶接線に前記第３溶接電流を供給する少なくとも一つの電源を含み、前記電源が前記第３溶接線への前記第３溶接電流を少なくとも部分的に制御するパルス幅変調器と該パルス幅変調器を少なくとも部分的に制御する波形発生装置を含み、前記電源が特定電流波形を表わす溶接サイクルを構成する一連の電流パルスを生成し、各電流パルスが前記工作物に関連して所与の電気的極性を有しており、前記パルス幅変調器が複数の前記電流パルスの電流パルス幅を制御することを特徴とする請求項５７に記載の装置。
【請求項５９】
前記主アーク溶接機と通信可能な第４アーク溶接機を含み、前記第４アーク溶接機が、第４溶接線と前記工作物間に第４溶接電流を供給することを特徴とする請求項５５〜６０の何れかに記載の装置。
【請求項６０】
前記第４アーク溶接機が前記第４溶接線に前記第４溶接電流を供給する少なくとも一つの電源を含み、前記電源が前記第４溶接線への前記第４溶接電流を少なくとも部分的に制御するパルス幅変調器と該パルス幅変調器を少なくとも部分的に制御する波形発生装置を含み、前記電源が特定電流波形を表わす溶接サイクルを構成する一連の電流パルスを生成し、各電流パルスが前記工作物に関連して所与の電気的極性を有しており、前記パルス幅変調器が複数の前記電流パルスの電流パルス幅を制御することを特徴とする請求項５９に記載の装置。
【請求項６１】
複数の前記アーク溶接機が互いに近接配置されていることを特徴とする請求項５５〜６０の何れかに記載の装置。
【請求項６２】
少なくとも二つの前記アーク溶接機と連絡して少なくとも二つの前記アーク溶接機の電流波形の位相または周波数を制御する位相コントローラを含んでいることを特徴とする請求項５５〜６１の何れかに記載の装置。
【請求項６３】
少なくとも二つの前記アーク溶接機の前記電流波形の位相が異なることを特徴とする請求項６２に記載の装置。
【請求項６４】
前記情報ネットワークが少なくとも二つの前記アーク溶接機を少なくとも部分的に制御することを特徴とする請求項５５〜６３の何れかに記載の装置。
【請求項６５】
複数の前記アーク溶接機が複数の電源を含んでいることを特徴とする請求項５５〜６４の何れかに記載の装置。
【請求項６６】
前記複数の電源がマスター電源と少なくとも一つのスレーブ電源を含んでいることを特徴とする請求項６５に記載の装置。
【請求項６７】
前記マスター電源と前記スレーブ電源が同期化回路によって少なくとも部分的に制御されることを特徴とする請求項６６に記載の装置。
【請求項６８】
少なくとも一つのアーク溶接機の前記電源がＤＣ溶接電流を発生することを特徴とする請求項４４〜６７の何れかに記載の装置。
【請求項６９】
少なくとも一つのアーク溶接機の前記電源が前記溶接電流の極性を少なくとも部分的に制御する極性コントローラを含んでいることを特徴とする請求項４４〜６８の何れかに記載の装置。
【請求項７０】
少なくとも一つのアーク溶接機の前記溶接電流が単一極性を維持することを特徴とする請求項４４〜６９の何れかに記載の装置。
【請求項７１】
少なくとも一つのアーク溶接機の前記溶接電流が正極性と負極性間で変化することを特徴とする請求項４４〜７０の何れかに記載の装置。
【請求項７２】
前記溶接電流の前記正および負極性が前記極性コントローラによって制御されるＤＣ電流から少なくとも部分的に形成されることを特徴とする請求項７１に記載の装置。
【請求項７３】
少なくとも二つのアーク溶接機が正および負極性の溶接電流を発生し、各前記溶接電流が異なる位相を有していることを特徴とする請求項７１または７２に記載の装置。
【請求項７４】
前記アーク溶接機の少なくとも一つが単一極性の溶接電流を提供し、また少なくとも一つの他のアーク溶接機が正および負極性の溶接電流を提供することを特徴とする請求項５５〜７３の何れかに記載の装置。
【請求項７５】
前記主アーク溶接機が単一極性の溶接電流を使用して溶接を実行し、また少なくとも一つの他のアーク溶接機が正および負極性の溶接電流を使用して溶接を実行することを特徴とする請求項５５〜７４の何れかに記載の装置。
【請求項７６】
前記波形発生器および（または）前記パルス幅変調器がソフトウエア制御されることを特徴とする請求項４４〜７５の何れかに記載の装置。
【請求項７７】
前記波形発生器および前記パルス幅変調器がマイクロチップ内に収容されていることを特徴とする請求項４４〜７６の何れかに記載の装置。
【請求項７８】
空隙を画定する工作物の二つの空隙端部を短絡して溶接する装置であって、進行溶接線を溶融し、前記溶融線を前記空隙に蒸着することによって、少なくとも部分的に二つの空隙端部を結合させる方法において、
ａ）溶接電流を前記溶接線に供給する少なくとも一つの電源を有する主アーク溶接機を提供する工程からなり、前記電源が前記溶融線への前記溶接電流を少なくとも部分的に制御するパルス幅変調器と該パルス幅変調器を少なくとも部分的に制御する波形発生装置を含んでいる工程と；
ｂ）各電流パルスが前記工作物に関して所与の電気的極性を有している電流波形を表わす溶接サイクルを構成する一連の電流パルスを生成する工程であって、各電流パルスは、前記工作物に対して所与の極性を有する工程と；
ｃ）複数の前記電流パルスのパルス幅を制御する工程と；
からなることを特徴とする方法。
【請求項７９】
前記波形発生装置が前記パルス幅変調器によって発生された前記信号を少なくとも部分的に制御して前記電流波形の発生を容易にすることを特徴とする請求項７８に記載の方法。
【請求項８０】
前記パルス幅変調器を少なくとも部分的に制御する前記波形発生器によって使用されるべき特定波形を選択する工程を含むことを特徴とする請求項７８または７９に記載の方法。
【請求項８１】
前記パルス幅変調器が高周波数で動作することを特徴とする請求項７８〜８０の何れかに記載の方法。
【請求項８２】
前記工作物がパイプを含んでいることを特徴とする請求項７８〜８１に記載の方法。
【請求項８３】
前記二つの隔置端がパイプのシームを形成することを特徴とする請求項７８〜８２の何れかに記載の方法。
【請求項８４】
前記主アーク溶接機が複数の電源を含んでいることを特徴とする請求項７８〜８３の何れかに記載の方法。
【請求項８５】
第１電源がマスター電源であり、また少なくとも一つの他の電源がスレーブ電源であることを特徴とする請求項８４に記載の方法。
【請求項８６】
前記マスター電源および前記スレーブ電源が同期化回路によって少なくとも部分的に制御されることを特徴とする請求項８５に記載の方法。
【請求項８７】
前記主アーク溶接機が該主アーク溶接機に隔たった位置から少なくとも部分的に制御される工程を含むことを特徴とする請求項７８〜８６の何れかに記載の方法。
【請求項８８】
遠隔位置から前記主アーク溶接機を少なくとも部分的に制御する情報ネットワークを含むことを特徴とする請求項８７に記載の方法。
【請求項８９】
前記主アーク溶接機と連絡され、第２溶接線と前記工作物間に第２溶接電流を供給する第２アーク溶接機を提供する工程を含むことを特徴とする請求項７８〜８８の何れかに記載の方法。
【請求項９０】
前記第２アーク溶接機が前記第２溶接線に前記第２溶接電流を供給する少なくとも一つの電源を含み、前記電源が前記第２溶接線への前記第２溶接電流を少なくとも部分的に制御するパルス幅変調器と該パルス幅変調器を少なくとも部分的に制御する波形発生装置を含み、前記電源が特定電流波形を表わす溶接サイクルを構成する一連の電流パルスを生成し、各電流パルスが前記工作物に関連して所与の電気的極性を有しており、前記パルス幅変調器が複数の前記電流パルスの電流パルス幅を制御することを特徴とする請求項８９に記載の方法。
【請求項９１】
前記主アーク溶接機と連絡され、第３溶接線と前記工作物間に第３溶接電流を供給する第３アーク溶接機を提供する工程を含むことを特徴とする請求項７８〜９０の何れかに記載の方法。
【請求項９２】
前記第３アーク溶接機が前記第３溶接線に前記第３溶接電流を供給する少なくとも一つの電源を含み、前記電源が前記第３溶接線への前記第３溶接電流を少なくとも部分的に制御するパルス幅変調器と該パルス幅変調器を少なくとも部分的に制御する波形発生装置を含み、前記電源が特定電流波形を表わす溶接サイクルを構成する一連の電流パルスを生成し、各電流パルスが前記工作物に関連して所与の電気的極性を有しており、前記パルス幅変調器が複数の前記電流パルスの電流パルス幅を制御することを特徴とする請求項９１に記載の方法。
【請求項９３】
前記主アーク溶接機と連絡され、第４溶接線と前記工作物間に第４溶接電流を供給する第４アーク溶接機を提供することを特徴とする工程を含む請求項７８〜９１の何れかに記載の方法。
【請求項９４】
前記第４アーク溶接機が前記第４溶接線に前記第４溶接電流を供給する少なくとも一つの電源を含み、前記電源が前記第４溶接線への前記第４溶接電流を少なくとも部分的に制御するパルス幅変調器と該パルス幅変調器を少なくとも部分的に制御する波形発生装置を含み、前記電源が特定電流波形を表わす溶接サイクルを構成する一連の電流パルスを生成し、各電流パルスが前記工作物に関連して所与の電気的極性を有しており、前記パルス幅変調器が複数の前記電流パルスの電流パルス幅を制御することを特徴とする請求項９３に記載の方法。
【請求項９５】
複数の前記アーク溶接機が互いに近接配置されることを特徴とする工程を含む請求項８９〜９４の何れかに記載の方法。
【請求項９６】
少なくとも二つの前記アーク溶接機の電流波形の位相または周波数を制御する工程を含むことを特徴とする請求項８９〜９５の何れかに記載の方法。
【請求項９７】
少なくとも二つの前記アーク溶接機の前記電流波形の位相または周波数が異なることを特徴とする請求項９６に記載の方法。
【請求項９８】
前記情報ネットワークが少なくとも二つの前記アーク溶接機を少なくとも部分的に制御することを特徴とする請求項８８〜９７の何れかに記載の方法。
【請求項９９】
複数の前記アーク溶接機が複数の電源を含んでいることを特徴とする請求項８９〜９８の何れかに記載の方法。
【請求項１００】
前記複数の電源がマスター電源とスレーブ電源を含んでいることを特徴とする請求項９９に記載の方法。
【請求項１０１】
前記マスター電源と前記スレーブ電源が同期化回路によって少なくとも部分的に制御されることを特徴とする請求項１００に記載の方法。
【請求項１０２】
少なくとも一つのアーク溶接機の前記電源がＤＣ溶接電流を発生することを特徴とする請求項７８〜１０１の何れかに記載の方法。
【請求項１０３】
少なくとも一つのアーク溶接機の極性を制御して前記溶接電流の極性を少なくとも部分的に制御する工程を含んでいることを特徴とする請求項７８〜１０２の何れかに記載の方法。
【請求項１０４】
少なくとも一つのアーク溶接機の前記溶接電流が単一極性を維持することを特徴とする請求項７８〜１０３の何れかに記載の方法。
【請求項１０５】
少なくとも一つのアーク溶接機の前記溶接電流が正極性と負極性間で変化することを特徴とする請求項７８〜１０４の何れかに記載の方法。
【請求項１０６】
前記溶接電流の前記正および負極性が前記極性コントローラによって制御されるＤＣ電流から少なくとも部分的に形成されることを特徴とする請求項１０５に記載の方法。
【請求項１０７】
少なくとも二つのアーク溶接機が正および負極性溶接電流を発生し、前記各溶接電流が異なる位相を有していることを特徴とする請求項１０５または１０６に記載の方法。
【請求項１０８】
前記アーク溶接機の少なくとも一つが単一極性の溶接電流を提供し、また少なくとも一つの他のアーク溶接機が正および負極性の溶接電流を提供することを特徴とする請求項８９〜１０７の何れかに記載の方法。
【請求項１０９】
前記主アーク溶接機が単一極性の溶接電流を使用して溶接を実行し、また少なくとも一つの他のアーク溶接機が正および負極性の溶接電流を使用して溶接を実行することを特徴とする請求項８９〜１０８の何れかに記載の方法。
【請求項１１０】
前記波形発生器および（または）前記パルス幅変調器がソフトウエア制御されることを特徴とする請求項７８〜１０９の何れかに記載の方法。
【請求項１１１】
前記波形発生器および前記パルス幅変調器がマイクロチップ内に収容されていることを特徴とする請求項７８〜１１０の何れかに記載の方法。
【請求項１１２】
第１および第２電極が工作路に沿って一致して移動する時、第１の電源により第１電極と工作物間に第１電流波形の第１ＡＣ溶接アークを生成すると共に、第２の電源により第２電極と工作物間に第２電流波形の第２ＡＣ溶接アークを生成する電気溶接機であって、前記第１及び第２の電源はそれぞれ、高速スイッチングインバータを備え、このインバータは、波形整形器とスイッチング信号によって制御される前記波形の極性とによって制御される各電流の大きさを伴う少なくとも１８ｋＨｚの周波数で発生する多数の電流パルスによって、その波形を生成し、前記第１電流波形は、第２電流波形と制御時間の長さだけオフセットしていることを特徴とする電気溶接機。
【請求項１１３】
前記第１及び第２電流波形は、実質的に等しいことを特徴とする請求項１１２に記載の電気溶接機。
【請求項１１４】
第１および第２電極が工作路に沿って一致して移動する時、第１の電源により第１電極と工作物間に第１電流波形の第１ＡＣ溶接アークを生成すると共に、第２の電源により第２電極と工作物間に第２電流波形の第２ＡＣ溶接アークを生成する電気溶接機であって、前記第１及び第２の電源はそれぞれ、高速スイッチングインバータを備え、このインバータは、波形整形器とスイッチング信号によって制御される前記波形の極性とによって制御される各電流の大きさを伴う少なくとも１８ｋＨｚの周波数で発生する多数の電流パルスによって、その波形を生成し、前記第１及び第２電流波形は、各々サイクル期間を有し、同時に起こる極性関係の期間が、１サイクル以下であることを特徴とする電気溶接機。
【請求項１１５】
前記第１及び第２電流波形は、実質的に等しいことことを特徴とする請求項１１４に記載の電気溶接機。